(57)【要約】  キャンディーなどの製品（３）を包装する方法であって、輸送方向に連続的に移動している第１のシート（１）上に製品を配置し；同じ輸送方向に連続的に移動し、第１のシートに対して実質的に面平行に整合された第２のシート（２）で製品を覆い；第１と第２のシートを、封止装置（２２）によって個々の製品またはグループ分けされた製品の外縁付近で互いに封止する各工程を有してなり、封止装置が、移動しているシートの一方の側で移動方向に対して実質的に垂直に延在した封止リブ（１２）を備え、封止リブ（１２）がシートと同じ速度で動かされており、この封止リブが第１と第２のシートを、移動している製品の間で互いに封止するものである方法が開示されている。
2007502754.tif 000002
【特許請求の範囲】
【請求項１】
切り離せる封入体内に製品を包装する方法であって、製品（３）を、輸送方向に連続的に移動している第１のシート（１）上に配置し；前記製品（３）を、同じ輸送方向に連続的に移動している、第１のシート（１）に対して実質的に面平行に整合された第２のシート（２）で覆い；第１と第２のシート（１，２）を、封止装置（１０，２２，１６）よって個々の製品（３）またはグループ分けされた製品の外縁付近で互いに封止する各工程を有してなる方法において、
前記封止装置が、前記移動しているシート（１，２）の一方の側に前記輸送方向に実質的に垂直に延在する封止リブ（１２）を有し、前記封止リブ（１２）が前記シート（１，２）と同じ速度で動かされており、該封止リブ（１２）が、移動している前記製品（３）の間で前記第１と第２のシート（１，２）を互いに封止することを特徴とする方法。
【請求項２】
前記封止装置（１０，２２，１６）が回転フレーム（１０）を備え、該フレーム（１０）の回転軸が前記輸送方向に対して垂直に延在し、前記封止リブ（１２）が前記フレーム（１０）の同軸円筒表面から延在していることを特徴とする請求項１記載の方法。
【請求項３】
前記シートの少なくとも一方（２）を、該シート（２）が前記製品（３）と接触する前に、該製品（３）の周りに少なくともある程度適合するように予備成形することを特徴とする請求項１記載の方法。
【請求項４】
前記予備成形工程が、前記移動しているシート（２）の一方の側にある第１の回転成形フレーム（１０）および該移動しているシート（２）の反対側にある第２の回転成形フレーム（１１）を備えた予備成形装置（１０，１１）により行われ、両フレーム（１０，１１）の回転軸が前記シート（２）の前記輸送方向に対して垂直に延在し、該フレーム（１０，１１）が、前記輸送方向に対して実質的に垂直に延在している協働する突出成形リブ（１２，１３）を有し、両フレーム（１０，１１）の前記成形リブ（１２，１３）が互いの間で噛み合うように動き、該成形リブ（１２，１３）が前記予備成形されたシート（２）と同じ速度で動かされていることを特徴とする請求項３記載の方法。
【請求項５】
前記第１の成形フレーム（１０）が、前記製品（３）を収容している間に前記予備成形されたシート（２）を他方の移動しているシート（１）に向かって案内するように配置されていることを特徴とする請求項４記載の方法。
【請求項６】
前記製品（３）が、細長い形状を有し、前記第１の移動しているシート（１）上に横向きに配置されていることを特徴とする請求項１から５いずれか１項記載の方法。
【請求項７】
前記封止リブ（１２）が超音波溶着手段を備えていることを特徴とする請求項１から６いずれか１項記載の方法。
【請求項８】
前記製品（３）の間の封止された区域を穿孔しまたは罫書き、よって、包装された前記製品（３）が互いに繋がったままであるが、容易に切り離せることを特徴とする請求項１から７いずれか１項記載の方法。
【請求項９】
製品（３）を包装するための包装装置であって、第１のシート（１）を輸送方向に連続的に移動させるための第１の輸送手段（８）と、前記製品（３）を前記第１のシート（１）上に配置するための配置手段（４，５，６）と、前記製品（３）を覆いながら、第２のシート（２）を前記第１のシート（１）に実質的に面平行に整合された同じ前記輸送方向に連続的に移動させるための第２の輸送手段（１０）と、第１と第２のシート（１，２）を、個々の製品またはグループ分けされた製品（３）の外縁近くで互いに封止するための封止装置（１０，２２，１６）とを備えた包装装置において、
前記封止装置（１０，２２，１６）が、前記輸送方向に対して実質的に垂直に延在している突出封止リブ（１２）と、第１と第２のシート（１，２）を、移動している前記製品（３）の間で互いに封止しながら、前記封止リブ（１２）を前記シート（１，２）と同じ速度で移動させるための同期化手段とを備えていることを特徴とする包装装置。
【請求項１０】
製品を包装する方法であって、製品（３）を、輸送方向に連続的に移動している第１のシート（１）上に配置し；前記製品（３）を、同じ輸送方向に連続的に移動している、第１のシート（１）に対して実質的に面平行に整合された第２のシート（２）で覆い；第１と第２のシート（１，２）を、封止装置（１０，２２，１６）によって個々のまたはグループ分けされた製品（３）の外縁付近で互いに封止する各工程を有してなり、前記シートの少なくとも一方（２）が、該シート（２）が前記製品（３）と接触する前に該製品（３）の周りに少なくともある程度適合するように予備成形装置（１０，１１）によって予備成形されている方法において、
前記予備成形装置（１０，１１）が、移動している前記シート（２）の一方の側に第１の回転成形フレーム（１０）を、移動している該シート（２）の反対側に第２の回転成形フレーム（１１）を備え、両フレームの回転軸が前記シート（２）の前記輸送方向に対して垂直に延在し、前記フレームが、前記輸送方向に対して実質的に垂直に延在している協働する突出成形リブ（１２，１３）を有し、前記フレーム（１０，１１）の成形リブ（１２，１３）が互いの間で噛み合うように動き、該成形リブ（１２，１３）が、予備成形された前記シート（２）と同じ速度で動かされていることを特徴とする方法。
【請求項１１】
製品（３）を包装するための包装装置であって、第１のシート（１）を輸送方向に連続的に移動させるための第１の輸送手段（８）と、前記製品（３）を前記第１のシート（１）上に配置するための配置手段（４，５，６）と、前記製品（３）を覆いながら、第２のシート（２）を前記第１のシート（１）に実質的に面平行に整合された同じ前記輸送方向に連続的に移動させるための第２の輸送手段（１０）と、第１と第２のシート（１，２）を、個々の製品またはグループ分けされた製品（３）の外縁近くで互いに封止するための封止装置（１０，２２，１６）と、前記シートが前記製品（３）と接触する前に該製品（３）の周りに少なくともある程度適合するように前記シートの少なくとも一方を予備成形するための予備成形装置（１０，１１）とを備えた包装装置において、
前記予備成形装置（１０，１１）が、移動している前記シート（２）の一方の側に第１の回転成形フレーム（１０）を、移動している該シート（２）の反対側に第２の回転成形フレーム（１１）を備え、両フレーム（１０，１１）の回転軸が前記シート（２）の前記輸送方向に対して垂直に延在し、前記フレーム（１０，１１）が、前記輸送方向に対して実質的に垂直に延在している協働する突出成形リブ（１２，１３）を有し、前記フレーム（１０，１１）の成形リブ（１２，１３）が互いの間で可動性であり、前記予備成形装置（１０，１１）がさらに、前記成形リブ（１２，１３）を予備成形された前記シート（２）と同じ速度で移動させるための同期化手段を有することを特徴とする包装装置。
【請求項１２】
互いに封止された、製品（３）または製品のグループを封入する二枚のシート（１，２）を有してなる包装製品（３）のアレイ（１９）であって、前記製品（３）間の封止区域が弱められ、よって包装された製品（３）が容易に切り離せるようになっているアレイにおいて、
前記シートの一方（１）が実質的に平らで比較的剛性の厚紙またはフイルムであり、前記シートの他方（２）が、前記製品（３）の周りに少なくともある程度適合するように成形された比較的柔軟なホイルであることを特徴とするアレイ。
【請求項１３】
前記製品（３）が細長い形状を有し、前記シート（１，２）に関して横向きに配置されていることを特徴とする請求項１２記載のアレイ。
【請求項１４】
前記製品（３）の外縁から延在する封止された前記シート（１，２）の側部が、前記アレイ（１９）に長手方向の剛性を与えるために曲げられていることを特徴とする請求項１３記載のアレイ。
【発明の詳細な説明】
【技術分野】
【０００１】
本発明は、切り離せる封入体内にキャンディーなどの製品を包装する方法に関する。この方法において、製品を、輸送方向に連続的に移動している第１のシート上に配置し；製品を、同じ輸送方向に連続的に移動している、第１のシートに対して実質的に面平行に整合された第２のシートで覆い；第１と第２のシートを、封止装置よって個々の製品またはグループ分けされた製品の外縁付近で互いに封止する。
【背景技術】
【０００２】
そのよう方法は、個別に包装された製品または１つの封止された封入体内に一緒にグループ分けされた製品の弾帯のような帯状体を提供するために用いられる。この封入体は、後の段階で互いから切り離せる。
【発明の開示】
【発明が解決しようとする課題】
【０００３】
本発明は、製品を速い速度で効率的に包装できること、包装装置を異なるサイズの製品に容易に適合できること、できるだけ小さな包装材料を使用すること、および／または脆い製品をできるだけ損傷しないで包装できることが改善された方法を目的としている。
【課題を解決するための手段】
【０００４】
この目的のために、封止装置は、移動しているシートの一方の側で移動方向に対して実質的に垂直に延在した封止リブを備えている。また封止リブはシートと同じ速度で動かされており、この封止リブは第１と第２のシートを、移動している製品の間で互いに封止する。それによって、シートを互いに封止する動きを中断する必要なく、シートを連続的に動かすことができる。封止装置が回転フレームを備え、このフレームの回転軸が輸送方向に対して垂直に延在し、封止リブがフレームの同軸の円筒表面から延在することが好ましい。
【０００５】
製品への損傷を防ぐために、特に製品の高さが相当ある場合、シートの少なくとも一方を、シートが製品と接触する前に、製品の周りに少なくともある程度適合するように予備成形することが好ましい。この予備成形動作は、移動しているシートの一方の側にある第１の回転成形フレームおよび移動しているシートの反対側にある第２の回転成形フレームを備えた予備成形装置であって、両フレームの回転軸はシートの輸送方向に対して垂直に延在している装置によって行われることが好ましい。ここで、これらのフレームは、輸送方向に対して実質的に垂直に延在している協働する突出成形リブを備え、両フレームの成形リブは互いの間で噛み合うように動くものであり、これらの成形リブは、予備成形されたシートと同じ速度で動かされる。第１の予備成形フレームは、製品を収容しながら、予備成形されたシートを他方の移動しているシートに向かって案内するように配置されていることが好ましい。第１の予備成形フレームが封止装置の回転フレームと同じフレームであり、フレーム上の成形リブが封止リブであることが好ましい。
【０００６】
上述した方法は、製品が、細長い形状であり、第１の移動しているシート上に横向きに配置されている場合に、特に有利である。封止リブが超音波溶着手段を備えることが好ましい。製品間の封止区域は、孔が開けられているかまたは切れ目が入っており、したがって、包装製品は互いに繋がったままであるが、容易に切り離せることが好ましい。
【０００７】
本発明はまた、キャンディーなどの製品を包装するための装置に関し、この装置は、第１のシートを輸送方向に連続的に移動させるための第１の輸送手段と、製品を第１のシート上に配置するための配置手段と、製品を覆いながら、第２のシートを第１のシートに実質的に面平行に整合して同じ輸送方向に連続的に移動させるための第２の輸送手段と、第１と第２のシートを、個々の製品の外縁近くで互いに封止するための封止装置とを備えている。この封止装置は、輸送方向に対して実質的に垂直に延在している突出封止リブと、第１と第２のシートを、移動している製品の間で互いに封止しながら、封止リブをシートと同じ速度で移動させるための同期化手段とを備えている。
【０００８】
さらに、本発明は、キャンディーなどの製品を包装する方法に関する。この方法は、製品を、輸送方向に連続的に動かされている第１のシート上に配置し；製品を、同じ輸送方向に連続的に動かされ、第１のシートと実質的に面平行に整合された第２のシートにより覆い；第１と第２のシートを、封止装置によって個々の製品の外縁近くで互いに封止する各工程を有してなる。この方法では、シートの少なくとも一方は、シートが製品と接触する前に製品の周りに少なくともある程度適合するように予備成形装置によって予備成形される。この予備成形装置は、移動しているシートの一方の側にある第１の回転成形フレームおよび移動しているシートの反対側にある第２の回転成形フレームを備え、両フレームの回転軸は、シートの輸送方向に対して垂直に延在している。これらのフレームは、輸送方向に対して垂直に延在している協働する突出成形リブを備え、両フレームの成形リブは互いの間で噛み合うように動き、これら成形リブは、予備成形されたシートと同じ速度で動かされる。
【０００９】
本発明はまた、キャンディーなどの製品を包装するための装置に関し、この装置は、第１のシートを輸送方向に連続的に移動させるための第１の輸送手段と、製品を第１のシート上に配置するための配置手段と、製品を覆いながら、第２のシートを第１のシートに実質的に面平行に整合して同じ輸送方向に連続的に移動させるための第２の輸送手段と、第１と第２のシートを、個々の製品の外縁近くで互いに封止するための封止装置と、シートが製品と接触する前に製品の周りに少なくともある程度適合するようにシートの少なくとも一方を予備成形するための予備成形装置とを備えている。この予備成形装置は、輸送方向に対して実質的に垂直に延在している協働する突出成形リブと、これらの成形リブを予備成形されたシートと同じ速度で移動させるための同期化手段とを備え、両ドラムの成形リブは互いの間で可動性である。
【００１０】
さらに、本発明は、キャンディーなどの包装された製品のアレイであって、互いに封止され、製品または製品のグループを封入する二枚のシートを有してなるアレイに関する。ここで、製品間の封止区域は、例えば、切れ目または孔開きによって、切れ易くなっており、したがって、包装された製品は容易に切り離すことができる。これらのシートの一方は、実質的に平らで比較的剛性である厚紙またはフイルムであり、他方のシートは、製品の周りに少なくともある程度適合するように成形された比較的柔軟なホイルである。製品の外縁から延在する封止されたシートの側部は、アレイに長手方向の剛性を与えるために、上方または下方に曲げられていることが好ましい。このようにして、非常に効率的に包装製品が得られる。封止されたシートの延在する側部は、剛性の板紙が管状の保護箱を形成するように、包装された製品上にさらに曲げられ、互いに封止できるような長さとしても差し支えない。
【発明を実施するための最良の形態】
【００１１】
以下、図面を参照して、本発明をより詳しく説明する。
【００１２】
図１、２および３を参照する。包装装置は、少なくとも一方の側にプラスチック・コーティングを有する厚紙１の第１のロールおよびプラスチック・フイルム２の第２のロールを有する。細長いキャンディー・バー３が第１の無端コンベヤ４上に横向きに配置されている。分離装置５は、キャンディー・バー３を所定の距離だけ間を空けるために規則的な間隔で上下動する仕切を有する。
【００１３】
第２のコンベヤ６、第３のコンベヤ７、第４のコンベヤ８、第５のコンベヤ９、並びに厚紙１の全ては同じ速度で移動する。この速度は、キャンディー・バーのより広い相互の距離に合わせるために、コンベヤ４の速度よりも速い。
【００１４】
プラスチック・フイルム２は、協働している回転成形ドラム１０，１１の間に導かれる。両ドラム１０，１１は突出した成形リブ１２，１３を有する。これらの成形リブは、回転中にギヤ・ユニットのように互いの間で噛み合うように動かされ、それによって、プラスチック・フイルム２に所望の形状の波形をつける。ドラム１０は、リブ１２の間に柔軟な吸引カップ１４を有する。この吸引カップは、真空作用力によって予備成形されたフイルムを保持する。
【００１５】
予備成形されたフイルム２は、キャンディー・バー３がコンベヤ６によって、移動している厚紙１の被覆側に移されながら、ドラム１０によって、移動しているキャンディー・バー３の頂部に配置される。このようにして、キャンディー・バー３は、厚紙１および予備成形されたプラスチック・フイルム２内に封入される。リブ１２は、最下点にあるときに、プラスチック・フイルム２を厚紙１に押し付け、ここで、プラスチック・フイルム２は、第１の超音波溶着装置２２によって厚紙１の被覆側に溶着される。この装置は、封止リブ１２に存在する超音波溶着手段と協働する。このようにして、一連の相互接続された管が形成される。各管は、キャンディー・バーを収容している。分離装置５の開放時間を変更することによって、２つ以上のキャンディー・バー３を一緒にグループ分けし、１つの管内に封入することができる。
【００１６】
その後、キャンディー・バー３の間の横のシールを、罫書きまたは穿孔リブ１５を持つ回転ドラム１４によって罫書くかまたは穿孔する。次いで、キャンディー・バー３の側方から延在するプラスチック・フイルム２の端部は、さらに別の２つの超音波封止装置１６によって下方に押され、厚紙１に封止される。それによって、キャンディー・バー３は、厚紙とプラスチック・フイルムの内部に気密に封じ込められる。この段階で、キャンディー・バー３は、包装製品が相互に連結された無端アレイを形成する。分離ドラム１７が、切断リブ１８によって、製品を、例えば、それぞれ６個のキャンディー・バー３のアレイ１９に分離する。
【００１７】
それによって、図４に示したキャンディー・バー３のアレイ１９は、下側に厚紙１を、上側にプラスチック・フイルム２を有する。このプラスチック・フイルムは、キャンディー・バー３の間で厚紙１に封止されている。これらの横のシールは、シールを損なわずに、個々の製品を容易にちぎり取ることができるように罫書きまたは穿孔２０を有している。パッケージの両方の封止された縦側２１は、上方に折り曲げられ、その後箱として取り扱えるほどの剛性がアレイ１９に与えられる。アレイ１９は、キャンディー・バーを包装する従来の方法の場合のように、店舗に出荷し、店頭で広げ、消費者に販売することができる。
【図面の簡単な説明】
【００１８】
【図１】包装装置の斜視図
【図２】図１の包装装置の詳細の側面図
【図３】図１の包装装置の詳細のさらに別の側面図
【図４】包装された製品のアレイの斜視図
【符号の説明】
【００１９】
１    厚紙
２    プラスチック・フイルム
３    キャンディー・バー３
４，６．７，８，９    コンベヤ
５    分離装置
１０，１１    成形ドラム
１９    アレイ
【図１】
2007502754.tif 000003
【図２】
2007502754.tif 000004
【図３】
2007502754.tif 000005
【図４】
2007502754.tif 000006
【国際調査報告】
2007502754.tif 000007
2007502754.tif 000008
2007502754.tif 000009